(57)【要約】【課題】ロール付箋紙にメモ等の必要事項を記載後に所望する長さで切断でき、必要なメモの記載量に対する過不足による無駄を生じさせないロール付箋紙用の卓上ディスペンサーを提供することを課題とする。【解決手段】筆記後に任意の長さで切り取ることが可能な付箋紙のディスペンサーであって、ロール付箋紙（１０）と、基台部（２０）と、から構成され、前記ロール付箋紙（１０）は、裏面の全部又は一部に再剥離性粘着剤（１１）が塗布された長尺な付箋紙を芯材に巻き付ける構成から成り、前記基台部（２０）は筆記部（２１）を有し、該筆記部（２１）と前記ロール付箋紙（１０）とに隙間領域（３１）を生じさせて前記筆記部（２１）から前記ロール付箋紙（１０）を剥離する剥離機構（３０）を備えている構成を採用した。【選択図】図１
2019147598.tif 000002
【特許請求の範囲】
【請求項１】
筆記後に任意の長さで切り取ることが可能な付箋紙のディスペンサーであって、
ロール付箋紙（１０）と、
基台部（２０）と、
から構成され、
前記ロール付箋紙（１０）は、裏面の全部又は一部に再剥離性粘着剤（１１）が塗布された長尺な付箋紙を芯材に巻き付ける構成から成り、
前記基台部（２０）は筆記部（２１）を有し、
該筆記部（２１）と前記ロール付箋紙（１０）とに隙間領域（３１）を生じさせて前記筆記部（２１）から前記ロール付箋紙（１０）を剥離する剥離機構（３０）を備えていることを特徴とするロール付箋紙卓上ディスペンサー（１）。
【請求項２】
前記剥離機構（３０）が、
前記筆記部（２１）に対して、取出部（２３）又は引抜部（２５）若しくは双方の位置を位相させることによって前記隙間領域（３１）を生じさせることを特徴とする請求項１に記載のロール付箋紙卓上ディスペンサー（１）。
【請求項３】
前記剥離機構（３０）が、
前記筆記部（２１）を湾曲させることによって前記隙間領域（３１）を生じさせることを特徴とする請求項１に記載のロール付箋紙卓上ディスペンサー（１）。
【発明の詳細な説明】
【技術分野】
【０００１】
本発明は、筆記後に任意の長さで切り取ることが可能な付箋紙のディスペンサーの技術に関し、詳しくはロール付箋紙を引き出した状態で筆記し、裏面に塗布されている再剥離性粘着剤による貼り付きを防止する剥離機構を設けることで、筆記後に任意の長さで切り取りを可能とし、ロール付箋紙を無駄なく使用する付箋紙の卓上ディスペンサーの技術に関する。
【背景技術】
【０００２】
ロール付箋紙は、長尺な付箋紙が芯に巻き付けられてロール状となり、用途に応じて切断して使用することが可能である。また、ロール付箋紙の使用は、不規則な記載量に対応できるので、倉庫などにおいて梱包した段ボールに記載事項を張り付けたりすることに適しており、大変便利である。しかし、ロール状のため使用物に貼り付けた後でなければ、メモや書き込みができないという欠点がある。
【０００３】
更に、ロール付箋紙を使用する際に事前に使用物に貼着してからメモを書くという従来の使用方法では、メモの領域の予想が出来ないため、先に切り取ってしまうと長さが足りなかったり、逆に余ったりするなど、書き直し等によって無駄が生じるという問題もある。
【０００４】
上記の問題点に鑑みて、本発明者は既に係る問題を解決しようとすべく、発明の名称を「ロール式付箋紙供給具」とする技術を公開し、公知技術としている。（特許文献１参照）。具体的には、「ロール型付箋紙供給部と、基台部と、から成る付箋紙供給具であって、基台部の側面を手で挟むように持つことで、基台部内のシャフトが縮み、基台部の側面内壁がロール型付箋紙供給部の側面を押さえつけることで、ロール型付箋紙供給部を固定し、安定した付箋紙切断ができる」構成を採用したものである。しかしながら、特許文献１に記載の発明は、長尺な同形状の付箋紙を引き出して切断することで、自由に所望する長さの付箋紙を得られる点においては便利であるが、切断および貼付後にメモ書きという前提とするため、必要なメモの記載量に対し過不足による無駄を生じさせないという課題を残すものであった。
【０００５】
また、特許文献２には、発明の名称を「印字装置及び記録紙」とする技術が開示され、公知技術となっている（特許文献２参照）。具体的には、「感熱紙が接着剤を介して剥離紙に感熱紙が接着剤を介して剥離紙に積層されてなるロール紙を用い、ロール紙には所定の間隔でミシン線が形成され、ミシン線で区切られた各領域毎に切断線が形成される。また、剥離紙上に印字位置を定めるマークが所定の間隔で付され、印字時にマークを検出して切断線の上流又は下流側の感熱紙上の領域に印字を行い、切断線より下流側の切断手段による切断位置でロール紙の搬送を停止する」というものである。しかしながら、特許文献２に記載の発明は、必要なメモの記載量に対し過不足による無駄を生じさせないという、本発明の課題を解決するに至っていない。
【０００６】
また、特許文献３には、発明の名称を「メモプリンタ」とする技術が開示され、公知技術となっている（特許文献３参照）。具体的には、「ロール状に巻回した用紙に情報を印刷する印刷手段と、印刷済みの用紙と対向した位置に設置された転写ローラーを有し、転写ローラーを介して粘着剤を印刷済みの用紙に転写するための粘着剤転写具と、転写ローラーと対向する位置に回転自在に設けられ且つ転写ローラーに対して接離自在に設けられたプラテンローラーと、プラテンローラーの転写ローラーへの接離動作に追従するように移動し、プラテンローラー上の用紙の幅方向における転写ローラーが接離する部位を除いた部位に常時圧接しながら印刷済みの用紙を下流側に搬送する用紙搬送部材と、印刷済みの用紙を所望の長さに切断する切断手段と、を備えた」というものである。しかしながら、特許文献３に記載の発明は、構造が極めて複雑であり、コストがかかる点や、機械などの構造からコンパクトに製造することは困難であり、机上で手軽に使用できるとは言えず、必要なメモの記載量に対し過不足による無駄を生じさせないという、本発明の課題を解決するに至っていない。
【先行技術文献】
【特許文献】
【０００７】
【特許文献１】特開２０１５−１２３６９５号公報
【特許文献２】特開２００１−１８００６０号公報
【特許文献３】特開２０１４−２３４２９３号公報
【発明の概要】
【発明が解決しようとする課題】
【０００８】
本発明は、ロール付箋紙にメモ等の必要事項を記載後に所望する長さで切断でき、必要なメモの記載量に対する過不足による無駄を生じさせないロール付箋紙用の卓上ディスペンサーを提供することを課題とするものである。
【課題を解決するための手段】
【０００９】
本発明は、筆記後に任意の長さで切り取ることが可能な付箋紙のディスペンサーであって、ロール付箋紙と、基台部と、から構成され、前記ロール付箋紙は、裏面の全部又は一部に再剥離性粘着剤が塗布された長尺な付箋紙を芯材に巻き付ける構成から成り、前記基台部は筆記部を有し、該筆記部と前記ロール付箋紙とに隙間領域を生じさせて前記筆記部から前記ロール付箋紙を剥離する剥離機構を備えている構成を採用した。
【００１０】
また、本発明は、前記剥離機構が、前記筆記部に対して、取出部又は引抜部若しくは双方の位置を位相させることによって前記隙間領域を生じさせる構成を採用することもできる。
【００１１】
また、本発明は、前記剥離機構が、前記筆記部を湾曲させることによって前記隙間領域を生じさせる構成を採用することもできる。
【発明の効果】
【００１２】
本発明に係るロール付箋紙卓上ディスペンサーによれば、メモ等を記載した後にロール付箋紙を必要な長さで切断することができ、無駄のない使用を可能とするという優れた効果を発揮するものである。
【００１３】
また、本発明に係るロール付箋紙卓上ディスペンサーによれば、筆記部とロール付箋紙との間に隙間領域を物理的に生じさせる構成であるため、ロール付箋紙の裏面に塗布される再剥離精粘着剤の塗布領域は、一部であっても全面であっても可能であり、再剥離精粘着剤の塗布面積の如何を問わないという優れた効果を発揮するものである。
【００１４】
また、本発明に係るロール付箋紙卓上ディスペンサーよれば、簡易な機能と構造から構成されることから、低コストでの製造が期待でき、小型であることから付箋紙を使用する机上等への持ち運びも容易であるという優れた効果を発揮するものである。
【図面の簡単な説明】
【００１５】
【図１】本発明に係るロール付箋紙卓上ディスペンサーの基本構成を示す基本構成説明斜視図である。
【図２】本発明に係るロール付箋紙卓上ディスペンサーの隙間領域の形成例を示す断面図である。
【図３】本発明に係るロール付箋紙卓上ディスペンサーの取出突起及び引抜突起を示す断面図である。
【図４】本発明に係るロール付箋紙卓上ディスペンサーの隙間領域の他の形成例を示す断面図である。
【図５】本発明に係るロール付箋紙卓上ディスペンサーの引抜機構を説明する説明図である。
【発明を実施するための形態】
【００１６】
本発明に係るロール付箋紙卓上ディスペンサー１は、基台部２０における筆記部２１が、ロール付箋紙１０の裏面に塗布された再剥離性粘着剤１１の粘着力から着脱可能とする剥離機構３０を有したことを最大の特徴とするものである。以下、図面を用いて各構成について説明する。但し、図面に表した形状や寸法については特に限定されるものではなく、本発明に係る技術的思想の創作として認められる範囲において変更可能である。
【００１７】
図１は、本発明に係るロール付箋紙卓上ディスペンサー１の基本構成を示す基本構成説明斜視図である。
【００１８】
本発明に係るロール付箋紙卓上ディスペンサー１は、筆記部２１とロール付箋紙１０との間に、隙間領域３１を生じさせて筆記部２１からロール付箋紙１０を剥離する剥離機構３０を備えることを基本構成とする。
【００１９】
図１は、本発明に係るロール付箋紙卓上ディスペンサー１の基台部２０上に設けた保持部２２へロール付箋紙１０をセットし、取出部２３からロール付箋紙１０の先端を取り出し、筆記部２１を通過した後、引抜部２５を介して引き出され、メモを取った後に切り取る状態が示されたものである。なお、図１は、剥離機構３０について、ロール付箋紙１０を引き出した時に、筆記部２１とロール付箋紙１０との間に隙間領域３１を物理的に生じさせるため、取出部２３と引抜部２５の位置を位相させることによる構成を示しているが、他に、突起を設けて隙間領域３１を生じさせる構成や、筆記部２１を湾曲させることによって隙間領域３１を生じさせる構成もあるので、それぞれについては、図３及び図４を用いて説明する。
【００２０】
図２は、本発明に係るロール付箋紙卓上ディスペンサー１の隙間領域３１の形成例を示す断面図であり、筆記部２１からロール付箋紙１０を剥離する剥離機構３０において、筆記部２１に対する取出部２３と引抜部２５の位置を位相させることによる構成を採用したものを示している。具体的には、平面の筆記部２１に対して、取出部２３より引抜部２５の位置を高くする構成により、ロール付箋紙１０を引き出した時に筆記部２１とロール付箋紙１０との間に隙間領域３１を生じさせる構成である。また、係る構成では引抜部２５の位置が高くなるので、ロール付箋紙１０を掴み易くなるスペース３２を引抜部２５の下部に作り出せるという効果を発揮する。
【００２１】
なお、図面に示した引抜部２５は基台部２０に対して大きく位相しているが、係る図示は誇張して示したものであり、実際の位相を示すものではない。また更に、取出部２３と引抜部２５の位置の位相については、図２に示したものとは異なり、例えば、基台部２０の高さを取出部２３側を高くし、引抜部２５側を低くするなどによって、取出部２３より引抜部２５の位置の位相を設ける構成でもよい。
【００２２】
ロール付箋紙１０は、裏面の全部又は一部に再剥離性粘着剤１１が塗布された長尺な付箋紙であって、紙製のみならず樹脂製等、芯材にロール状に巻きつけられるものであればよく、特に素材に限定されるものではない。再剥離性粘着剤１１が部分的に塗布される場合は、長手方向に対して幅方向の片側、両側、中心、若しくはこれらからの組み合わせでもよい。ロール付箋紙１０は長尺な付箋紙を芯材等に巻き付けて構成され、これを引き出して、その引き出した部分にメモ書きをし、記載面積に合わせて自由な長さで切断し、無駄のないロール付箋紙１０の利用を図るものである。
【００２３】
再剥離性粘着剤１１は、既に周知のものを用いればよく、粘着剤の種類は弱粘着から強粘着等、多種多様が存在するが、一度貼ってから剥がすことができる粘着剤であれば特に限定されるものではない。従って、例えば、一般的なアクリル系粘着剤、ウレタン系粘着剤、天然ゴム系粘着剤、又はシリコーン系粘着剤等から、使用の目的や用途に応じて適宜選択すればよい。
【００２４】
非粘着性塗料１２は、筆記部２１の上面に塗布してロール付箋紙１０を滑りやすくするもので、再剥離性粘着剤１１が付着せず、若しくは付着しにくくなる塗料である。シリコーン系コーティング剤や、フッ素系コーティング剤などが代表的なものである。また、塗料内に微細な粉状物を含有していることによって塗布後の筆記部２１の表面に微細な凹凸３３を作り出し、ロール付箋紙１０の裏面との接触面積を著しく減らすことで、剥離しやすくする塗料でもよい。
【００２５】
基台部２０は、略平坦な板状部材によって構成され、筆記部２１と保持部２２と取出部２３を備える基台である。基台部２０は、これらの部材を別個に製作し、組み合せて成る構成としてもよく、他方、射出成形等により一体成形したものでもよい。また、基台部２０の底部等におもりの役割を果たす金属等を埋め込んで動作を安定させることも好適である。
【００２６】
筆記部２１は、ロール付箋紙１０に書き込みをする際の下敷きとなる部材である。隙間領域３１を生じさせずに、ロール付箋紙１０と密着させた状態で書き込みを容易とするため、筆記部２１の表面は可能な限り平坦であることが望ましく、また、フッ素樹脂シート又はシリコーン樹脂シートの貼付け、シリコーン樹脂又はフッ素樹脂コーティング、若しくは再剥離性粘着剤１１の貼着力が発揮しにくくなる機能性樹脂材料素材とすることなどが考え得る。ただし、逆に微細な凹凸３３をつけることによって接触部が接触線や接触点となり、再剥離性粘着剤１１と接触する面積を減少させる表面性状とする構成でも、ロール付箋紙１０を剥離し易い筆記部２１とすることができるため、筆記部２１をどのような構成にするかは、生産性やコストに応じて適宜選択する。
【００２７】
保持部２２は、ロール付箋紙１０を基台部２０に回転自在に保持するための部材である。具体的にはロール付箋紙１０の軸心となる軸、又は中空軸を両脇から保持する保持部２２を備えるものである。より具体的には、基台部２０の両脇からロール付箋紙１０の中心を貫通する軸部や、該軸部を保持する凸状の突出部や腕部を設けるなどして、ロール付箋紙１０を回転自在にしつつ保持する部材である。
【００２８】
取出部２３は、保持部２２側の基台部２０と保持部２２との境界近傍に設けられ、ロール付箋紙１０を直接引き延ばした際に、ロール状に巻きつけられた状態から平面状態に取り出すためのガイドであり、具体的にはロール状に巻かれた状態から筆記部２１の高さに近い位置に配置される平板である。
【００２９】
引抜部２５は、基台部２０の取出部２３と反対側端部に設けられ、ロール付箋紙１０を直接引き延ばした際に、取出部２３から取り出したロール付箋紙１０が筆記部２１に沿って配置された状態から、直線状にすることで隙間領域３１を生じさせるためのガイドであり、具体的には取出部２３よりも高い位置として位相させるか、又は基台部２０を湾曲させて取出部２３の反対側端部に配置する平板であり、該引抜部２５は、ロール付箋紙１０を切り取るための切取部２８と、ロール付箋紙１０の端部を掴みやすくするための切欠部２９を有することが望ましい。
【００３０】
切取部２８は、切欠部２９を介して引き抜かれたロール付箋紙１０を切断する部材であり、薄刃状の刃先には波型形状に形成して指先を切らないようにするなど配慮することが望ましい。
【００３１】
切欠部２９は、引抜部２５においてロール付箋紙１０を掴み易くするために設けた凹部であり、図面に示すように、引抜部２５と机上等との間に指が入り込むスペース３２を設けることが好ましい。
【００３２】
剥離機構３０は、筆記部２１とロール付箋紙１０とに隙間領域３１を生じさせて筆記部２１からロール付箋紙１０を剥離するものであり、具体的には、図２に示すように、筆記部２１に対して取出部２３と引抜部２５の位置を位相させることによるか、又は図４に示すように、筆記部２１を湾曲させることによって隙間領域３１を生じさせる構成を採用する。
【００３３】
隙間領域３１は、ロール付箋紙１０の裏面との間に隙間を形成することによって剥離させる剥離機構３０とするものである。各図面で示した隙間領域３１は、ロール付箋紙１０と筆記部２１との間に隙間を作ることでロール付箋紙１０の裏面に塗布された再剥離性粘着剤１１から剥離して非接触状態とすることで粘着力を規制するものである。
【００３４】
スペース３２は、取出部２３と引抜部２５の位置を位相させることによって作り出される領域であり、ロール付箋紙１０の端部を掴み易くするとともに、切欠部２９を設けることとの相乗効果により、ロール付箋紙１０を引抜き易くする。
【００３５】
図３は、本発明に係るロール付箋紙卓上ディスペンサー１の取出突起２４及び引抜突起２６を示す断面図である。係る構成では、基台部２０に、突出部を複数設けることにより、ロール付箋紙１０を筆記部２１から浮かせて、隙間領域３１を設ける構成である。この時、ロール付箋紙１０は、二以上の取出突起２４と、二以上の引抜突起２６とを設けて、筆記部２１に対しそれぞれを位相させる構成とすることが簡易であって好適である。
【００３６】
取出突起２４は、取出部２３と筆記部２１との間に設けられ、引き出したロール付箋紙１０の引き出し初期に筆記部２１から引き離し、該突起と取出突起２４に狭持させて、ロール付箋紙１０と筆記部２１とを離隔させるための突起である。
【００３７】
引抜突起２６は、引抜部２５と筆記部２１との間に設けられ、引き出したロール付箋紙１０を筆記部２１から引き離すための突起であり、取出突起２４と引抜突起２６にロール付箋紙１０を横架させて筆記部２１とを離隔させる。また、引抜突起２６は、図３に示すように取出突起２４と同じ高さとし、水平に配置して筆記部２１に対し水平に隙間領域３１を設けてもよいが、取出突起２４に対し、引抜突起２６と高低差をつける構成も有効である。なお、図３に示した構成では、取出突起２４と引抜突起２６の双方を有するものを示したが、何れか一方のみで筆記部２１に対する高さを位相させる構成でもよい。
【００３８】
図４は、本発明に係るロール付箋紙卓上ディスペンサー１の基台部２０を湾曲させることによって隙間領域３１を形成した実施例を示す断面図である。なお、図４に示した基台部２０及び筆記部２１は大きく湾曲しているが、係る図示は誇張して示したものであり、実際の曲率を示すものではない。また、図２及び図３で説明した隙間領域３１の形成例と共通する構成については説明を省略する。
【００３９】
図４で示した隙間領域３１は、ロール付箋紙１０の裏面の一部に塗布した面と対応する筆記部２１、又は基台部２０を湾曲させることによって形成した隙間である。係る構成を採用する場合では、取出部２３と引抜部２５の位相を容易に作り出すことができ、また、突起等を不要とする点で、製造し易いなどの利点がある。
【００４０】
図５は、本発明に係るロール付箋紙卓上ディスペンサー１の引抜機構２７を示す断面図である。図５（ａ）は、引抜機構２７にレバー式を採用した構成を示し、図５（ｂ）は、ダイヤル式を採用した構成を示している。なお、図５（ａ）及び図５（ｂ）に示した引抜機構２７は、何れも模式的な基本構成を示したものであり、形状や寸法等については限定されるものではなく、適宜、適切な設計によって構成されるものである。
【００４１】
図５（ａ）に示す引抜機構２７は、取出部２３から取り出したロール付箋紙１０の先端側を巻き出しローラーによって挟み込み、レバー操作によって該巻き出しローラーを回転させて送り出すレバー式による構成例である。例えば、ラチェット機構により一方向のみのレバー操作に対し、ロール付箋紙１０を挟んで送る構造などが該当する。
【００４２】
図５（ｂ）に示す引抜機構２７は、取出部２３から取り出したロール付箋紙１０の先端側を巻き出しローラーによって挟み込み、ダイヤル操作によって該巻き出しローラーを回転させて送り出すダイヤル式による構成例である。なお、係る構成に限定されるものではなく、図面には示していないがロール付箋紙１０の先端側を挟持してスライドさせる機構や、フリーホイールのような一方向の回転のみに駆動されるローラーで挟み込んで送り出す機構等でもよい。
【産業上の利用可能性】
【００４３】
本発明は、ロール付箋紙を切断前にメモを書くことを可能としたことから、従来品と違って必要な長さで切断することが可能となり、使用する付箋紙の無駄をなくすことができ、書類整理業務に従事する者の利便性に資するため、産業上利用可能性は極めて高いと思慮されるものである。
【符号の説明】
【００４４】
１    ロール付箋紙卓上ディスペンサー
１０  ロール付箋紙
１１  再剥離性粘着剤
１２  非粘着性塗料
２０  基台部
２１  筆記部
２２  保持部
２３  取出部
２４  取出突起
２５  引抜部
２６  引抜突起
２７  引抜機構
２８  切取部
２９  切欠部
３０  剥離機構
３１  隙間領域
３２  スペース
３３  凹凸
【図１】
2019147598.tif 000003
【図２】
2019147598.tif 000004
【図３】
2019147598.tif 000005
【図４】
2019147598.tif 000006
【図５】
2019147598.tif 000007
【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
筆記後に任意の長さで切り取ることが可能な付箋紙のディスペンサーであって、
ロール付箋紙（１０）と、
基台部（２０）と、
から構成され、
前記ロール付箋紙（１０）は、裏面の全部又は一部に再剥離性粘着剤（１１）が塗布された長尺な付箋紙を芯材に巻き付ける構成から成り、
前記基台部（２０）は前記ロール付箋紙（１０）に書き込みをする際に下敷きとなる筆記部（２１）を有し、
該筆記部（２１）には剥離機能（３０）を備え、
該剥離機能（３０）は、前記筆記部（２１）の両端に設けられる取出部（２３）と引抜部（２５）により構成され、
前記取出部（２３）は、前記ロール付箋紙（１０）を平面状態に取り出すためのガイドとなる平板な部材であり、
前記引抜部（２５）は、前記基台部（２０）と平板な切取部（２８）との隙間にロール付箋紙（１０）を挿通させて前記取出部（２３）から直線状に引き抜くためのガイド部であり、
前記ロール付箋紙（１０）への書き込み後に、前記引抜部（２５）から直線状に引き抜くことにより、前記筆記部（２１）の上面と前記ロール付箋紙（１０）の裏面全体との間に隙間領域（３１）を生じさせて前記筆記部（２１）から前記ロール付箋紙（１０）を剥離させることを特徴とするロール付箋紙卓上ディスペンサー（１）。
【請求項２】
前記剥離機構（３０）が、
前記筆記部（２１）に対する前記取出部（２３）又は前記引抜部（２５）若しくは双方の高さの相違により前記隙間領域（３１）を生じさせて前記筆記部（２１）から前記ロール付箋紙（１０）を剥離させることを特徴とする請求項１に記載のロール付箋紙卓上ディスペンサー（１）。
【請求項３】
前記剥離機構（３０）が、
前記筆記部（２１）の前記取出部（２３）から前記引抜部（２５）の間を湾曲させることによって前記隙間領域（３１）を生じさて前記筆記部（２１）から前記ロール付箋紙（１０）を剥離させることを特徴とする請求項１に記載のロール付箋紙卓上ディスペンサー（１）。
【手続補正２】
【補正対象書類名】明細書
【補正対象項目名】００１０
【補正方法】変更
【補正の内容】
【００１０】
また、本発明は、前記剥離機構が、前記筆記部に対して、取出部又は引抜部若しくは双方の高さを相違させることによって前記隙間領域を生じさせる構成を採用することもできる。
【手続補正３】
【補正対象書類名】明細書
【補正対象項目名】００１９
【補正方法】変更
【補正の内容】
【００１９】
図１は、本発明に係るロール付箋紙卓上ディスペンサー１の基台部２０上に設けた保持部２２へロール付箋紙１０をセットし、取出部２３からロール付箋紙１０の先端を取り出し、筆記部２１を通過した後、引抜部２５を介して引き出され、メモを取った後に切り取る状態が示されたものである。なお、図１は、剥離機構３０について、ロール付箋紙１０を引き出した時に、筆記部２１とロール付箋紙１０との間に隙間領域３１を物理的に生じさせるため、取出部２３と引抜部２５の高さを相違させることによる構成を示しているが、他に、突起を設けて隙間領域３１を生じさせる構成や、筆記部２１を湾曲させることによって隙間領域３１を生じさせる構成もあるので、それぞれについては、図３及び図４を用いて説明する。
【手続補正４】
【補正対象書類名】明細書
【補正対象項目名】００２０
【補正方法】変更
【補正の内容】
【００２０】
図２は、本発明に係るロール付箋紙卓上ディスペンサー１の隙間領域３１の形成例を示す断面図であり、筆記部２１からロール付箋紙１０を剥離する剥離機構３０において、筆記部２１に対する取出部２３と引抜部２５の高さを相違させることによる構成を採用したものを示している。具体的には、平面の筆記部２１に対して、取出部２３より引抜部２５の位置を高くする構成により、ロール付箋紙１０を引き出した時に筆記部２１とロール付箋紙１０との間に隙間領域３１を生じさせる構成である。また、係る構成では引抜部２５の位置が高くなるので、ロール付箋紙１０を掴み易くなるスペース３２を引抜部２５の下部に作り出せるという効果を発揮する。
【手続補正５】
【補正対象書類名】明細書
【補正対象項目名】００２１
【補正方法】変更
【補正の内容】
【００２１】
なお、図面に示した引抜部２５は基台部２０に対して大きく高さが相違しているが、係る図示は誇張して示したものであり、実際の高さを示すものではない。また更に、取出部２３と引抜部２５の高さを相違させることについては、図２に示したものとは異なり、例えば、基台部２０の高さを取出部２３側を高くし、引抜部２５側を低くするなどによって、取出部２３より引抜部２５の位置を相違させる構成でもよい。
【手続補正６】
【補正対象書類名】明細書
【補正対象項目名】００２９
【補正方法】変更
【補正の内容】
【００２９】
引抜部２５は、基台部２０の取出部２３と反対側端部に設けられ、ロール付箋紙１０を直接引き延ばした際に、取出部２３から取り出したロール付箋紙１０が筆記部２１に沿って配置された状態から、直線状にすることで隙間領域３１を生じさせるためのガイドであり、具体的には取出部２３よりも高い位置として相違させるか、又は基台部２０を湾曲させて取出部２３の反対側端部に配置する平板であり、該引抜部２５は、ロール付箋紙１０を切り取るための切取部２８と、ロール付箋紙１０の端部を掴みやすくするための切欠部２９を有することが望ましい。
【手続補正７】
【補正対象書類名】明細書
【補正対象項目名】００３２
【補正方法】変更
【補正の内容】
【００３２】
剥離機構３０は、筆記部２１とロール付箋紙１０とに隙間領域３１を生じさせて筆記部２１からロール付箋紙１０を剥離するものであり、具体的には、図２に示すように、筆記部２１に対して取出部２３と引抜部２５の高さを相違させることによるか、又は図４に示すように、筆記部２１を湾曲させることによって隙間領域３１を生じさせる構成を採用する。
【手続補正８】
【補正対象書類名】明細書
【補正対象項目名】００３４
【補正方法】変更
【補正の内容】
【００３４】
スペース３２は、取出部２３と引抜部２５の高さを相違させることによって作り出される領域であり、ロール付箋紙１０の端部を掴み易くするとともに、切欠部２９を設けることとの相乗効果により、ロール付箋紙１０を引抜き易くする。
【手続補正９】
【補正対象書類名】明細書
【補正対象項目名】００３５
【補正方法】変更
【補正の内容】
【００３５】
図３は、本発明に係るロール付箋紙卓上ディスペンサー１の取出突起２４及び引抜突起２６を示す断面図である。係る構成では、基台部２０に、突出部を複数設けることにより、ロール付箋紙１０を筆記部２１から浮かせて、隙間領域３１を設ける構成である。この時、ロール付箋紙１０は、二以上の取出突起２４と、二以上の引抜突起２６とを設けて、筆記部２１に対しそれぞれの高さを相違させる構成とすることが簡易であって好適である。
【手続補正１０】
【補正対象書類名】明細書
【補正対象項目名】００３７
【補正方法】変更
【補正の内容】
【００３７】
引抜突起２６は、引抜部２５と筆記部２１との間に設けられ、引き出したロール付箋紙１０を筆記部２１から引き離すための突起であり、取出突起２４と引抜突起２６にロール付箋紙１０を横架させて筆記部２１とを離隔させる。また、引抜突起２６は、図３に示すように取出突起２４と同じ高さとし、水平に配置して筆記部２１に対し水平に隙間領域３１を設けてもよいが、取出突起２４に対し、引抜突起２６と高低差をつける構成も有効である。なお、図３に示した構成では、取出突起２４と引抜突起２６の双方を有するものを示したが、何れか一方のみで筆記部２１に対する高さを相違させる構成でもよい。
【手続補正１１】
【補正対象書類名】明細書
【補正対象項目名】００３９
【補正方法】変更
【補正の内容】
【００３９】
図４で示した隙間領域３１は、ロール付箋紙１０の裏面の一部に塗布した面と対応する筆記部２１、又は基台部２０を湾曲させることによって形成した隙間である。係る構成を採用する場合では、取出部２３と引抜部２５の高さの相違を容易に作り出すことができ、また、突起等を不要とする点で、製造し易いなどの利点がある。